(57)【要約】【課題】石突内での雨水の流れを制御することにより、雨水を利用した装飾効果が得られる石突を提供すること。【解決手段】石突１は、上面の少なくとも一部及び底面側の少なくとも一部がそれぞれ開口する、少なくとも一部が透明である管状部材２、管状部材２の内部空間を上側及び下側の区画３，４に分割する仕切り部材５、及び管状部材２の内部に設けられた装飾体６を備え、仕切り部材５及び装飾体６の少なくとも一方に上側及び下側の区画３，４を繋ぐ孔部６ａが形成される。これにより、石突内での雨水の流れを制御することができ、装飾効果を得ることができる。【選択図】図１
2019141371.tif 000002
【特許請求の範囲】
【請求項１】
雨傘の頂部に取り付けられる石突であって、
上面の少なくとも一部及び底面側の少なくとも一部がそれぞれ開口する、少なくとも一部が透明である管状部材と、
前記管状部材の内部空間を区画に分割する１又は２以上の仕切り部材と、
前記管状部材の内部に設けられた装飾体と、
を備え、前記仕切り部材及び前記装飾体の少なくとも一方に前記上側及び下側の区画を繋ぐ孔部が形成されることを特徴とする、石突。
【請求項２】
前記孔部は、前記仕切り部材に形成され、
前記装飾体は、前記仕切り部材の下側の区画内の前記孔部の下方に配置されることを特徴とする、請求項１に記載の石突。
【請求項３】
前記装飾体は、水車又はししおどしを模したものであることを特徴とする、請求項２に記載の石突。
【請求項４】
前記孔部は、前記仕切り部材の面積の１０％以下の断面積を有することを特徴とする、請求項３に記載の石突。
【請求項５】
前記装飾体は、少なくとも１の前記仕切り部材の上側及び下側の区画に跨って配置され、
前記孔部は、前記装飾体に形成されることを特徴とする、請求項１に記載の石突。
【請求項６】
前記装飾体は、小便小僧を模したものであることを特徴とする、請求項５に記載の石突。
【請求項７】
前記管状部材の上面の開口を塞ぐ着脱可能な保護キャップを備えることを特徴とする、請求項１〜６のいずれか一項に記載の石突。
【請求項８】
前記管状部材の底面を雨傘に固定する固定部材を備えることを特徴とする、請求項１〜７のいずれか一項に記載の石突。
【発明の詳細な説明】
【技術分野】
【０００１】
本発明は、雨傘の頂部に取り付けられる石突に関する。
【背景技術】
【０００２】
雨傘の頂部に取り付けられた石突を利用して、装飾が行われることがある。特許文献１には、傘保持部の頂部に設けられた凸状被覆部に点滅状態又は点灯状態で光るヒモ状照明部を螺旋状に配置した装飾傘が開示されている。この装飾傘は、ヒモ状照明部に電力を供給する電源を要する。
【０００３】
これに対して、雨水の落下を利用して力を発生させることが考えられる。特許文献２には、傘の先端部分に固定される羽根車及びその上方に設けられる雨受け皿を備え、雨受け皿に溜まった雨水が羽根車に落ちることで羽根車が回転する傘の装飾具が開示されている。この装飾具は、雨水の落下を利用して雨傘に装飾効果を施すが、比較的大きな面積の雨受け皿によって多くの雨水を受けて使用するものであり、雨水が必ずしも十分に流入しない石突の装飾に用いるには困難がある。
【先行技術文献】
【特許文献】
【０００４】
【特許文献１】登録実用新案第３０４６６７１号公報
【特許文献２】登録実用新案第３０００７０２号公報
【発明の概要】
【発明が解決しようとする課題】
【０００５】
本発明は、石突内での雨水の流れを制御することにより、雨水を利用した装飾効果が得られる石突を提供することを課題とする。
【課題を解決するための手段】
【０００６】
本発明の石突は、
雨傘の頂部に取り付けられる石突であって、
上面の少なくとも一部及び底面側の少なくとも一部がそれぞれ開口する、少なくとも一部が透明である管状部材と、
前記管状部材の内部空間を区画に分割する１又は２以上の仕切り部材と、
前記管状部材の内部に設けられた装飾体と、
を備え、前記仕切り部材及び前記装飾体の少なくとも一方に前記上側及び下側の区画を繋ぐ孔部が形成されることを特徴とする。
【０００７】
この特徴によれば、雨水が、管状部材の上面の開口から入って上側の区画に溜まり、仕切り部材又は装飾体の孔部を通って下側の区画に流れ、底面側の開口から排出される雨水の流れにより装飾効果を得ることができる。
【０００８】
ここで、「上面」「底面側」と、「上面」には「側」がつかず、「底面」には「側」がつくが、「上面」は円筒状の石突の上面のみを言い、「底面側」は円筒状の石突の底面及び側面のうち底面に接する箇所を合わせたものを言う。
【０００９】
本発明の石突は、
前記孔部は、前記仕切り部材に形成され、
前記装飾体は、前記仕切り部材の下側の区画内の前記孔部の下方に配置されることを特徴とする。
【００１０】
この特徴によれば、管状部材の上側の区画に溜まった雨水が、仕切り部材の孔部を通って下側の区画内に配置された装飾体上に落ちるように、雨水の流れを制御することができる。
【００１１】
本発明の石突は、
前記装飾体は、水車又はししおどしを模したものであることを特徴とする。
【００１２】
この特徴によれば、装飾体が雨水の落下を受けて動作することができる。
【００１３】
本発明の石突は、
前記孔部は、前記仕切り部材の面積の１０％以下の断面積を有することを特徴とする。
【００１４】
この特徴によれば、装飾体を動作させるのに必要な量の雨水を、仕切り部材の孔部を通って装飾体上に落とすことができる。
【００１５】
本発明の石突は、
前記装飾体は、少なくとも１の前記仕切り部材の上側及び下側の区画に跨って配置され、
前記孔部は、前記装飾体に形成されることを特徴とする。
【００１６】
この特徴によれば、管状部材の上側の区画に溜まった雨水が、管状部材の上側及び下側の区画を跨って配置される装飾体の孔部を通って下側の区画内に落ちるように、雨水の流れを制御することができる。
【００１７】
本発明の石突は、
前記装飾体は、小便小僧を模したものであることを特徴とする。
【００１８】
この特徴によれば、孔部を通った雨水が、装飾効果を有するように流れる装飾体が実現される。
【００１９】
本発明の石突は、
前記管状部材の上面の開口を塞ぐ着脱可能な保護キャップをさらに備えることを特徴とする。
【００２０】
この特徴によれば、石突を下にして傘を持つ時に、保護キャップで管状部材の上面の開口を塞ぐことで石突の内部を保護することができる。
【００２１】
本発明の石突は、
前記管状部材の底面を雨傘に固定する固定部材をさらに備えることを特徴とする。
【００２２】
この特徴によれば、固定部材を用いて石突を雨傘に取り付けることができる。
【発明の効果】
【００２３】
本発明の石突によれば、雨傘に取り付けて雨天時に使用することで、雨水を利用した装飾効果を雨傘に施すことができる。
【図面の簡単な説明】
【００２４】
【図１】図１は、石突の構成を示す図である。
【図２】図２は、石突に固定部材を設けた構成を示す図である。
【図３】図３は、石突に別の固定部材を設けた構成を示す図である。
【図４】図４は、石突を雨傘に取り付けた状態を示す図である。
【図５】図５は、保護キャップを設けた石突を示す図である。
【図６】図６は、石突に別の装飾体を設けた構成を示す図である。
【図７】図７は、石突に別の装飾体を設けた構成を示す図である。
【発明を実施するための形態】
【００２５】
以下、本発明の実施例について説明する。
【実施例１】
【００２６】
図１は、石突１の構成を示す。石突１は、雨傘の頂部に取り付けられて雨傘を装飾する装飾具であり、管状部材２、仕切り部材５、及び装飾体６を備える。
【００２７】
管状部材２は、装飾体６を内部に収容する容器である。管状部材２は、外側から内部の装飾体６を視認できるよう少なくとも一部（本実施例では全体）が透明な例えばポリカーボネートのような熱可塑性樹脂等の素材から、上面の少なくとも一部（本実施例では上面のすべて）が開口する管状に形成されている。管状部材２の底面側の少なくとも一部（本実施例では図面右下）が開口して、開口４ａが形成されている。
【００２８】
仕切り部材５は、管状部材２内に設けられてその内部空間を上側及び下側の区画３，４に分割する部材である。仕切り部材５は、例えば管状部材２と同様の素材を用いて板状に成形され、管状部材２の中ほど（幾分下方）の高さに水平に固定される。
【００２９】
装飾体６は、管状部材２の内部に設けられて雨傘を装飾するフィギュアである。本実施例では、一例として、小便小僧を模したフィギュアとする。装飾体６に、小便小僧のおよそ背中から股間に貫通する孔部６ａが形成されている。装飾体６は、小便小僧のおよそ胴部の周りで仕切り部材５の中央を上下に貫通し、小便小僧の脚部を管状部材２の底面に当接して、管状部材２内に固定される。それにより、装飾体６は、管状部材２の上側及び下側の区画３，４を跨って配置され、孔部６ａの背中側及び股間側の端部がそれぞれ上側及び下側の区画３，４に配される。
【００３０】
雨水は、管状部材２の上面の開口３ａから入って仕切り部材５により区画された上側の区画３に溜まり、管状部材２の上側及び下側の区画３，４を跨って配置される装飾体６の孔部６ａを通って下側の区画４に流れ、すなわち小便小僧のように装飾体６が雨水を底面側の区画４に落とし、底面側の開口４ａから排出される。この雨水の流れにより装飾効果を得ることができる。
【００３１】
なお、石突１に、管状部材２の底面を雨傘に固定するための固定部材を設けてもよい。図２及び図３は、それぞれ、石突１に固定部材８，９を設けた構成を示す。図４に、石突１を雨傘１０の頂部に取り付けた状態を示す。固定部材８は、雄ねじ状に成形され、基端を管状部材２の底面に当接して固定され、先端を雨傘の頂部にねじ込むことで石突１を雨傘１０の頂部に取り付けることができる。固定部材９は、雌ねじ状に成形され、基端を管状部材２の底面に当接して固定され、先端を雨傘の頂部に嵌め込むことで石突１を雨傘１０の頂部に取り付けることができる。
【００３２】
また、管状部材２の上面の開口３ａを塞ぐ着脱可能な保護キャップ１５を設けてもよい。図５に、保護キャップ１５を設けた石突１を示す。保護キャップ１５は、一例としてゴム等の弾性を有する素材を用いて下端が先細る形状に成形され、下端を開口３ａに差し込むことで管状部材２の開口３ａを塞ぐことができる。それにより、不使用時に、保護キャップ１５で管状部材２の上面の開口３ａを塞ぐことで石突１，１１の内部を保護することができる。
【実施例２】
【００３３】
図６に、石突１１の構成を示す。石突１１は、管状部材２、仕切り部材１２、及び装飾体１３を備える。ここで、管状部材２は、実施例１と同様に構成されている。
【００３４】
仕切り部材１２は、実施例１と同様に構成される。ただし、仕切り部材１２に、管状部材２の上側及び下側の区画３，４を繋ぐ孔部１２ａが形成されている。孔部１２ａは、例えば、仕切り部材１２の面積の１０％以下の断面積を有するものとする。より具体的には、管状部材２の直径約３ｃｍに対して、孔部１２ａの直径を５ｍｍとする。それにより、後述する装飾体１３を動作させるのに必要な量の雨水を、仕切り部材１２の孔部１２ａを通って装飾体１３上に落とすことができる。
【００３５】
石突に流入する雨水の量は、降水量と石突の径によって定まるが、さして多量ではない。そこで、断面積の小さな孔部に雨水を集中させて、装飾体１３を動作させるのに必要な流量を確保する。
【００３６】
装飾体１３は、ししおどしを模したフィギュアとする。装飾体１３は、管状部材２の下側の区画４内に、仕切り部材１２の孔部１２ａの下方にししおどしの先端を位置して、配置される。それにより、管状部材２の上側の区画３に溜まった雨水が、仕切り部材１２の孔部１２ａを通って下側の区画４内に配置された装飾体１３上に落ち、装飾体１３が雨水を受けて動作する（すなわち、ししおどしの先端が降りて雨水を落とす）ことができる。雨水は、底面側の開口４ａから排出される。
【実施例３】
【００３７】
図７に、石突１１の構成を示す。石突１１は、管状部材２、仕切り部材１２、及び装飾体１４を備える。ここで、管状部材２は、実施例２と同様に構成されている。仕切り部材１２は、実施例２と同様に構成されている。
【００３８】
装飾体１４は、水車を模したフィギュアとする。装飾体１４は、管状部材２の下側の区画４内に、仕切り部材１２の孔部１２ａの下方に水車を位置して、配置される。それにより、管状部材２の上側の区画３に溜まった雨水が、仕切り部材１２の孔部１２ａを通って下側の区画４内に配置された装飾体１４上に落ち、装飾体１４が雨水を受けて動作する（すなわち、水車が回転する）ことができる。雨水は、底面側の開口４ａから排出される。
【００３９】
以上、実施例１〜３で詳細に説明したように、本発明の石突１は、上面の少なくとも一部及び底面側の少なくとも一部がそれぞれ開口する、少なくとも一部が透明である管状部材２、管状部材２の内部区画を上側及び下側の区画３，４に分割する仕切り部材５、及び管状部材２の内部に設けられた装飾体６を備え、仕切り部材５及び装飾体６の少なくとも一方に上側及び下側の区画３，４を繋ぐ孔部６ａが形成される。これにより、石突内での雨水の流れを制御することができ、雨水を利用した装飾効果が得られる石突を提供することができる。
【００４０】
なお、１枚のみの仕切り部材を有するものとして説明したが、２枚以上の仕切り部材を有してもよい。この場合、２以上の装飾体を有するものとすることが考えられる。
【産業上の利用可能性】
【００４１】
石突内での雨水の流れを制御することにより、雨水を利用した装飾効果が得られる石突である。多くの雨傘生産者による利用が考えられる。
【符号の説明】
【００４２】
１      石突
２      管状部材
３      区画
３ａ    開口
４      区画
４ａ    開口
５      仕切り部材
６      装飾体
６ａ    孔部
８      固定部材
９      固定部材
１０    雨傘
１１    石突
１２    仕切り部材
１２ａ  孔部
１３    装飾体
１４    装飾体
１５    保護キャップ
【図１】
2019141371.tif 000003
【図２】
2019141371.tif 000004
【図３】
2019141371.tif 000005
【図４】
2019141371.tif 000006
【図５】
2019141371.tif 000007
【図６】
2019141371.tif 000008
【図７】
2019141371.tif 000009